(57)【特許請求の範囲】
【請求項１】
内視鏡の手元操作部に設けられた送気送水バルブのシリンダに挿抜自在に取り付けられ、該シリンダに接続された複数本の送気送水管路に洗浄ブラシを案内するためのブラシ案内路が形成された内視鏡の洗浄補助具において、
前記洗浄補助具の前記ブラシ案内路は、前記送気送水管路の本数よりも少ない本数で形成され、該洗浄補助具を前記シリンダに挿入した状態で移動させることにより、ブラシ案内路のうち少なくとも１本のブラシ案内路が２本以上の送気送水管路に連通可能であり、
前記洗浄補助具には、複数本のブラシ案内路が形成されるとともに、これらのブラシ案内路のうち前記送気送水管路に連通されていないブラシ案内路を閉塞する閉塞部材が設けられていることを特徴とする内視鏡の洗浄補助具。
【請求項２】
前記送気送水管路は４本形成され、前記ブラシ案内路は３本形成されていることを特徴とする請求項１に記載の内視鏡の洗浄補助具。
【発明の詳細な説明】
【０００１】
【発明の属する技術分野】
本発明は内視鏡の洗浄補助具に係り、特に内視鏡手元操作部に設けられた送気送水バルブのシリンダに挿入されて、このシリンダに接続されている送気送水管路に洗浄ブラシを導くための洗浄補助具に関する。
【０００２】
【従来の技術】
医療用の内視鏡は、手元操作部に送気送水バルブが取り付けられ、送気送水バルブを術者の指で操作することにより、空気と水とを切り換えて体腔内に供給するように構成されている。
【０００３】
送気送水バルブは、シリンダ及びピストン等から構成され、このシリンダに給気管、給水管、送気管、及び送水管からなる４本の送気送水管路が接続されている。これらの送気送水管路は、定期的に洗浄ブラシで洗浄する必要があるが、最近の送気送水バルブは操作性を考慮して小型化されているので、前記シリンダから洗浄ブラシを送気送水管路に直接挿入することは難しい。そこで、送気送水管路の洗浄時には、特開平５−２２８１０７号公報等に開示された洗浄補助具が従来から用いられていた。
【０００４】
前記洗浄補助具は、送気送水バルブのシリンダに挿抜自在に取り付けられる略円柱状の本体を有し、この本体にブラシ案内路が形成されている。この洗浄補助具を利用して洗浄ブラシは、ブラシ部を先頭にしてブラシ案内路に挿入され、洗浄ブラシを押し込むことにより、ブラシ部が送気送水管路に導かれる。これによって、ブラシ部で送気送水管路を洗浄することができる。
【０００５】
ところで、最近の内視鏡手元操作部は、操作性を向上させるために小型軽量化が図られており、これに伴い送気送水バルブも必要最小限の大きさに作られている。したがって、送気送水バルブのシリンダに挿入される洗浄補助具も同様に小型になり、小型の洗浄補助具に、前記４本の送気送水管路に対応する４本のブラシ案内路を形成することは困難である。
【０００６】
このような背景によって、従来の洗浄補助具は、例えば送気管路用と送水管路用の２本のブラシ案内路が形成された洗浄補助具と、給気管路用と給水管路用の２本のブラシ案内路が形成された洗浄補助具とを用意して、洗浄する管路に応じて二種類の洗浄補助具を使い分けていた。
【０００７】
【発明が解決しようとする課題】
しかしながら、前記従来の洗浄補助具は、洗浄する管路に応じて二種類の洗浄補助具を使い分けなければならないので、送気送水管路の洗浄作業性が悪いという欠点があった。
【０００８】
本発明は、このような事情に鑑みてなされたもので、一つの洗浄補助具で全ての送気送水管路を洗浄することができる内視鏡の洗浄補助具を提供することを目的とする。
【０００９】
【課題を解決するための手段】
本発明は、前記目的を達成するために、内視鏡の手元操作部に設けられた送気送水バルブのシリンダに挿抜自在に取り付けられ、該シリンダに接続された複数本の送気送水管路に洗浄ブラシを案内するためのブラシ案内路が形成された内視鏡の洗浄補助具において、前記洗浄補助具の前記ブラシ案内路は、前記送気送水管路の本数よりも少ない本数で形成され、該洗浄補助具を前記シリンダに挿入した状態で移動させることにより、ブラシ案内路のうち少なくとも１本のブラシ案内路が２本以上の送気送水管路に連通可能であり、前記洗浄補助具には、複数本のブラシ案内路が形成されるとともに、これらのブラシ案内路のうち前記送気送水管路に連通されていないブラシ案内路を閉塞する閉塞部材が設けられていることを特徴としている。
【００１０】
本発明によれば、洗浄補助具をシリンダに挿入した状態で挿入方向又は回転方向に所定量移動させると、ブラシ案内路のうち少なくとも１本のブラシ案内路が、２本以上の送気送水管路に連通される。すなわち、少なくとも１本のブラシ案内路を、２本以上の送気送水管路に洗浄ブラシを導くブラシ案内路として使用したので、一つの洗浄補助具で全ての送気送水管路を洗浄することが可能になる。
【００１１】
本発明によれば、複数本のブラシ案内路のうち、送気送水管路に連通されていないブラシ案内路を閉塞する閉塞部材を設けたので、送気送水管路に連通されていないブラシ案内路に洗浄ブラシを挿入するという誤挿入を防止できる。また、閉塞部材の切換動作に連動して、洗浄補助具の挿入又は回転方向の移動を規制及び規制解除することが好ましい。
【００１２】
本発明は、送気送水管路が４本形成されたシリンダを対象とし、ブラシ案内路が３本形成された洗浄補助具を対象としている。この洗浄補助具によれば、３本のブラシ案内路のうち１本のブラシ案内路を、２本の送気送水管路の間で切り換える。
【００１３】
【発明の実施の形態】
以下添付図面に従って本発明に係る内視鏡の洗浄補助具の好ましい実施の形態を詳述する。
【００１４】
図１は、内視鏡手元操作部１０の外観を示す斜視図であり、図２は手元操作部１０の断面図である。
【００１５】
図１、図２に示す手元操作部１０の本体ケース１２の上部には、送気送水バルブを構成するボタン１４が設けられ、ボタン１４に隣接して吸引ボタン１６、及びシャッタボタン１８が並設されている。また、本体ケース１２の後端部には図１に示すように、接眼部２０が設けられている。更に、本体ケース１２の下部にはコネクタ２２が連結され、コネクタ２２には連結チューブ３０が連結されている。この連結チューブ３０内に図２に示す給気管２４、給水管２６、吸引管２８、及び不図示のライトガイドケーブル等が収納されている。なお、図１の符号３２は、鉗子等の処置具が挿入される鉗子孔であり、符号３４は、挿入部４０の不図示の湾曲部を湾曲操作するアングルノブである。
【００１６】
図２に示す吸引管２８は、吸引ボタン１６側のシリンダ３６に接続され、シリンダ３６には吸引チューブ３８が接続されている。吸引チューブ３８は、図１に示す挿入部４０に挿通され、挿入部４０の先端に設けられた不図示の先端硬質部の吸引口に接続されている。また、図２のシリンダ３６には、吸引管２８と吸引チューブ３８とを連通／遮断させる不図示のピストンが嵌挿され、このピストンの上端部に吸引ボタン１６が取り付けられている。吸引ボタン１６又はピストンは、吸引管２８と吸引チューブ３８とを遮断させる方向に、不図示の付勢部材によって付勢されている。この付勢部材の付勢力に抗して吸引ボタン１６が押動操作されることにより、吸引管２８と吸引チューブ３８とが連通される。これによって、体腔内の汚物等が先端硬質部の吸引口から吸引され、吸引チューブ３８及び吸引管２８を介して手元操作部１０の外部に排出される。
【００１７】
給気管２４、及び給水管２６の各々の先端部は、送気送水バルブを構成するシリンダ４２の所定の位置に接続される。また、シリンダ４２には、送気管４４及び送水管４６の各々の基端部が所定の位置に接続されている。給気管２４の基端部は、不図示の空気供給装置に接続され、この空気供給装置が駆動されることにより、空気が給気管２４を介してシリンダ４２内に供給される。この状態で、ボタン１４に形成された空気リーク孔１５を術者の指で閉塞すると、シリンダ４２内に供給された前記空気が送気管４４に供給される。
【００１８】
給水管２６の基端部は、不図示の給水タンクに接続されている。ボタン１４に連結された不図示のピストンをシリンダ４２内で押下操作すると、給気管２４が閉塞され、給気管２４に流れていた空気が給水タンクに供給される。これによって、給水タンク内の内圧が高まり、給水タンク内の水が給水管２６を介してシリンダ４２内に供給され、そして、送水管４６に供給される。
【００１９】
図３に示す洗浄補助具５０は、図２のシリンダ４２に接続されている給気管２４、給水管２６、送気管４４、及び送水管４６に図７に示す洗浄ブラシ５２を導くためにシリンダ４２に挿入されるものである。
【００２０】
この洗浄補助具５０は図６〜図１０に示すように、円柱状に形成された本体５４、リング状に形成されたホルダ５６、及び図４〜図６の如く平板状に形成された閉塞部材５８等から構成される。
【００２１】
本体５４には、図４〜図１０の如く洗浄ブラシ５２のブラシ案内路６０、６２、６４が本体５４の軸方向に形成されている。また、本体５４は、不図示の位置決め部材を介してホルダ５６に軸方向に移動自在に装着され、また、ホルダ５６は、図８の如くホルダ５６の下部に形成された位置決め用凸部６６を、シリンダ４２の上部に形成された位置決め用凹部６８に係合されることにより、シリンダ４２に位置決めされる。これにより、本体５４がホルダ５６を介してシリンダ４２に位置決めされ、本体５４の頭部５５がホルダ５６から突出した図７の初期位置において、本体５４のブラシ案内路６０が給水管２６に連通され、また、頭部５５を押し込んだ図９の押込位置において、ブラシ案内路６０が給気管２４に連通されるとともに、図１０の如くブラシ案内路６２が送気管４４に連通され、そして、ブラシ案内路６４が送水管４６に連通されるように位置決めされる。
【００２２】
一方、閉塞部材５８は図４〜図６に示すように、ホルダ５６の軸方向に対して直交方向に形成された溝７０に貫通配置されるとともに、本体５４の軸方向に対して直交方向に形成された溝７２に、その摺動面５９が摺動自在に設けられている。この溝７２によって、ブラシ案内路６２、６４は上下に分断されている。
【００２３】
また、閉塞部材５８は、その表面に長孔７２が形成され、この長孔７２に、ホルダ５６の溝７０に設けられた一対のガイドピン７４、７４が係合されている。
これにより、閉塞部材５８は、溝７０、７２に沿って図４の位置と図５の位置との間で往復移動自在に配置されている。
【００２４】
更に、閉塞部材５８の摺動面５９の略中央部には、矩形状の切欠部７６が形成されている。この切欠部７６は、閉塞部材５８が図５の位置に移動された時に、ブラシ案内路６２、６４を露出させるもので、これにより、溝７２で分断された上下のブラシ案内路６２、６４を溝７２を介して各々連通させることができる。
すなわち、洗浄ブラシ５２をブラシ案内路６２、６４に挿通することができる。
また、切欠部７６は、閉塞部材５８が図４の位置に移動された時に、ブラシ案内路６２、６４を閉塞させるもので、これにより、ブラシ案内路６２、６４に対する洗浄ブラシ５２の挿入が阻止される。
【００２５】
更に、溝７２には、図６に示すように閉塞部材５８の逃げ溝７８が本体５４の軸方向に形成されている。したがって、図５、図６に示した閉塞部材５８の位置において、本体５４を図６の下方向に押し込むと、逃げ溝７８に隣接して形成された出っ張り部８０が切欠部７６を通過するので、本体５４をシリンダ４２の奥まで押し込むことができる。このように本体５４が押し込まれると、本体５４は図９、図１０に示した押込位置に位置される。これとは逆に、図４、図７、図８に示した閉塞部材５８の位置において、本体５４を下方に押し込んでも、出っ張り部８０の下方に切欠部７６が位置していないので、本体５４を押し込むことはできない。
【００２６】
本体５４の頭部５５には、ねじ棒８２と一体形成された球状ガイド部材８４が設けられている。このガイド部材８４は、ねじ棒８２を本体５４の頭部５５の中心部に形成されたねじ穴８６に螺合させることにより、本体５４の頭部５５の中心から突出配置される。
【００２７】
このようなガイド部材８４の表面に、図７の如く洗浄ブラシ５２の挿入部５２Ａを当接させるとともに、洗浄ブラシ５２の球状先端部５３をブラシ案内路６０に押圧させた状態で洗浄ブラシ５２をブラシ案内路６０に挿入していくと、ガイド部材８４の表面がガイドとなって、洗浄ブラシ５２がブラシ案内路６０にスムーズに挿入されていく。
【００２８】
次に、前記の如く構成された洗浄補助具５０の作用について説明する。
【００２９】
まず、閉塞部材５８を図４の位置に位置決めした状態で、すなわち、ブラシ案内路６２、６４を閉塞部材５８で閉塞した状態で、洗浄補助具５０をシリンダ４２に装着する。これにより、洗浄補助具５０は初期位置に位置し、本体５４のブラシ案内路６０が図７の如く給水管２６と連通するので、ブラシ案内路６０を介して給水管２６に洗浄ブラシ５２を挿入することができる。この時、他のブラシ案内路６２、６４は、図８の如く送気管４４や送水管４６に連通されておらず、また、ブラシ案内路６２、６４は閉塞部材５８によって図４の如く閉塞され、洗浄ブラシ５２の挿入が阻止されているので、ブラシ案内路６２、６４に対する洗浄ブラシ５２の誤挿入が防止されている。
【００３０】
次に、ブラシ案内路６０を給気管２４に連通させ、ブラシ案内路６２を送気管４４に連通させ、ブラシ案内路６４を送水管４６に連通させる場合には、まず、閉塞部材５８を図４の位置から図５の位置にスライドさせて、上下のブラシ案内路６２、６４を各々連通させるとともに、本体５４の押し込みを可能にする。
【００３１】
次に、ガイド部材８４を指で摘んで本体５４を図９、図１０の押込位置まで押し込む。これにより、本体５４のブラシ案内路６０が図９の如く給気管２４と連通するので、ブラシ案内路６０を介して給気管２４に洗浄ブラシ５２を挿入することができる。また、本体５４のブラシ案内路６２が図１０の如く送気管４４と連通し、ブラシ案内路６４が送水管４６と連通するので、ブラシ案内路６２を介して送気管４４に洗浄ブラシ５２を挿入することができるとともに、ブラシ案内路６４を介して送水管４６に洗浄ブラシ５２を挿入することができる。
【００３２】
したがって、実施の形態の洗浄補助具５０によれば、洗浄補助具５０をシリンダ４２に挿入した状態で挿入方向に所定量移動させると、ブラシ案内路６０が、給水管２６と給気管２４との間で切り換えられる。すなわち、１本のブラシ案内路６０を、給水管２６と給気管２４に洗浄ブラシ５２を導くブラシ案内路として使用したので、３本のブラシ案内路６０、６２、６４が形成された洗浄補助具５０で、４本の送気送水管路２４、２６、４４、４６を洗浄することができる。
【００３３】
なお、実施の形態では、ブラシ案内路６０、６２、６４が３本形成された洗浄補助具５０について説明したが、ブラシ案内路の本数はこれに限定されず、また、シリンダ４２に接続される送気送水管路２４、２６、４４、４６の本数もこの限りではない。要するに、１本のブラシ案内路を２本以上の送気送水管路に連通させるように構成すればよい。
【００３４】
更に、実施の形態の洗浄補助具５０は、本体５４を軸方向に押し込んで２本の送気送水管路を切り換えるようにしたが、シリンダ４２に対する送気送水管路の取付位置によっては本体５４を回転方向に回動させて２本の送気送水管路を切り換えることもできる。
【００３５】
【発明の効果】
以上説明したように本発明に係る内視鏡の洗浄補助具によれば、洗浄補助具をシリンダに挿入した状態で移動させると、ブラシ案内路のうち少なくとも１本のブラシ案内路が、２本以上の送気送水管路に連通可能なので、一つの洗浄補助具で全ての送気送水管路を洗浄することが可能になる。
【００３６】
また、本発明によれば、複数本のブラシ案内路のうち、送気送水管路に連通されていないブラシ案内路を閉塞する閉塞部材を設けたので、送気送水管路に連通されていないブラシ案内路に洗浄ブラシを挿入する誤挿入を防止できる。
【図面の簡単な説明】
【図１】内視鏡手元操作部の斜視図
【図２】図１に示した内視鏡手元操作部の断面図
【図３】実施の形態の洗浄補助具を示す全体図
【図４】図３に示した洗浄補助具を４−４線からみた断面図
【図５】ブラシ案内路の閉塞部材がブラシ案内路を連通させた時の断面図
【図６】洗浄補助具の本体と閉塞部材の取付関係を示す斜視図
【図７】洗浄補助具の第１ブラシ案内路が給水管に連通された状態を示す断面図
【図８】洗浄補助具の第２及び第３ブラシ案内路が閉塞部材で閉塞された状態を示す断面図
【図９】洗浄補助具の第１ブラシ案内路が給気管に連通された状態を示す断面図
【図１０】洗浄補助具の第２ブラシ案内路が送気管に連通されるとともに第３ブラシ案内路が送水管に連通された状態を示す断面図
【符号の説明】
１０…内視鏡手元操作部、１４…ボタン、２４…給気管、２６…給水管、２８…吸引管、４２…シリンダ、４４…送気管、４６…送水管、５０…洗浄補助具、５２…洗浄ブラシ、５４…本体、５８…閉塞部材、６０、６２、６４…ブラシ案内路、７６…切欠部、８４…ガイド部材
【図１】
0004569004.tif 000002
【図２】
0004569004.tif 000003
【図３】
0004569004.tif 000004
【図４】
0004569004.tif 000005
【図５】
0004569004.tif 000006
【図６】
0004569004.tif 000007
【図７】
0004569004.tif 000008
【図８】
0004569004.tif 000009
【図９】
0004569004.tif 000010
【図１０】
0004569004.tif 000011